(57)【要約】  それぞれ、入力端子Ｔｉｎおよび出力端子Ｔｏｕｔを有する第１バンドパスフィルタ１２、第２バンドパスフィルタ１４、第３バンドパスフィルタ１６、および第４バンドパスフィルタ１８と、前記第１バンドパスフィルタの入力端子および出力端子のいずれか一方と、前記第２バンドパスフィルタの入力端子および出力端子の前記一方と、が共通に接続された第１端子Ｔ１と、前記第３バンドパスフィルタの入力端子および出力端子の前記一方と、前記第４バンドパスフィルタの入力端子および出力端子の前記一方と、が共通に接続された第２端子Ｔ２と、前記第１バンドパスフィルタの入力端子および出力端子の他方と、前記第４バンドパスフィルタの入力端子および出力端子の前記他方と、が共通に接続された第３端子Ｔ３と、前記第２バンドパスフィルタの入力端子および出力端子の前記他方と、前記第３バンドパスフィルタの入力端子および出力端子の前記他方と、が共通に接続された第４端子Ｔ４と、を具備するフィルタ回路。
2013118240.tif 000002
【特許請求の範囲】
【請求項１】
それぞれ、入力端子および出力端子を有する第１バンドパスフィルタ、第２バンドパスフィルタ、第３バンドパスフィルタ、および第４バンドパスフィルタと、
前記第１バンドパスフィルタの入力端子および出力端子のいずれか一方と、前記第２バンドパスフィルタの入力端子および出力端子の前記一方と、が共通に接続された第１端子と、
前記第３バンドパスフィルタの入力端子および出力端子の前記一方と、前記第４バンドパスフィルタの入力端子および出力端子の前記一方と、が共通に接続された第２端子と、
前記第１バンドパスフィルタの入力端子および出力端子の他方と、前記第４バンドパスフィルタの入力端子および出力端子の前記他方と、が共通に接続された第３端子と、
前記第２バンドパスフィルタの入力端子および出力端子の前記他方と、前記第３バンドパスフィルタの入力端子および出力端子の前記他方と、が共通に接続された第４端子と、を具備することを特徴とするフィルタ回路。
【請求項２】
前記第１バンドパスフィルタ、前記第２バンドパスフィルタ、前記第３バンドパスフィルタおよび前記第４バンドパスフィルタの通過帯域はそれぞれ異なることを特徴とする請求項１記載のフィルタ回路。
【請求項３】
前記第１バンドパスフィルタおよび前記第２バンドパスフィルタの通過帯域は、前記第３バンドパスフィルタおよび前記第４バンドパスフィルタの通過帯域より低いことを特徴とする請求項１または２記載のフィルタ回路。
【請求項４】
前記第１端子は、第１アンプに接続される端子であり、前記第２端子は第２アンプに接続される端子であり、前記第３端子と前記第４端子とは、前記第３端子と前記第４端子とのいずれか一方を選択しアンテナに接続するスイッチが接続される端子であることを特徴とする請求項３記載のフィルタ回路。
【請求項５】
前記第１端子および前記第２端子の少なくとも一方は、平衡端子であることを特徴とする請求項１から４のいずれか一項記載のフィルタ回路。
【請求項６】
前記請求項１から５のいずれか一項記載のフィルタ回路を含むことを特徴とするモジュール。
【請求項７】
請求項３記載のフィルタ回路と、
前記第３端子と前記第４端子とのいずれか一方を選択しアンテナに接続するスイッチと、を具備することを特徴とするモジュール。
【請求項８】
請求項３記載のフィルタ回路と、
前記第１端子に接続された第１アンプと、
前記第２端子に接続された第２アンプと、
を具備することを特徴とするモジュール。
【請求項９】
請求項３記載のフィルタ回路と、
前記第３端子と前記第４端子とのいずれか一方を選択しアンテナに接続するスイッチと、
前記第１端子に接続された第１アンプと、
前記第２端子に接続された第２アンプと、
を具備することを特徴とするモジュール。
【発明の詳細な説明】
【技術分野】
【０００１】
本発明は、フィルタ回路およびモジュールに関し、例えば、複数のバンドパスフィルタを有するフィルタ回路およびモジュールに関する。
【背景技術】
【０００２】
例えば、移動体通信端末においては、各種通信方式に対応し複数のバンドパスフィルタが用いられる。複数のバンドパスフィルタは、例えば１つのフィルタ回路として１つの部品にまとめられる。【０００３】
特許文献１には、デュープレクサを４つのバンドパスフィルタを用い形成することが記載されている。４つのバンドパスフィルタが１つのモジュールとして集積化されている。
【先行技術文献】
【特許文献】
【０００４】
【特許文献１】特表２００３−５１７２３９号公報
【発明の概要】
【発明が解決しようとする課題】
【０００５】
複数のフィルタを１つのフィルタ回路とする場合、各フィルタが入力端子と出力端子とを有する。このため、フィルタ回路は、多くの端子を有することになる。【０００６】
本発明は、上記課題に鑑みなされたものであり、フィルタ回路の端子数を削減することを目的とする。
【課題を解決するための手段】
【０００７】
本発明は、それぞれ、入力端子および出力端子を有する第１バンドパスフィルタ、第２バンドパスフィルタ、第３バンドパスフィルタ、および第４バンドパスフィルタと、前記第１バンドパスフィルタの入力端子および出力端子のいずれか一方と、前記第２バンドパスフィルタの入力端子および出力端子の前記一方と、が共通に接続された第１端子と、前記第３バンドパスフィルタの入力端子および出力端子の前記一方と、前記第４バンドパスフィルタの入力端子および出力端子の前記一方と、が共通に接続された第２端子と、前記第１バンドパスフィルタの入力端子および出力端子の他方と、前記第４バンドパスフィルタの入力端子および出力端子の前記他方と、が共通に接続された第３端子と、前記第２バンドパスフィルタの入力端子および出力端子の前記他方と、前記第３バンドパスフィルタの入力端子および出力端子の前記他方と、が共通に接続された第４端子と、を具備することを特徴とするフィルタ回路である。本発明によれば、フィルタ回路の端子数を削減することができる。【０００８】
上記構成において、前記第１バンドパスフィルタ、前記第２バンドパスフィルタ、前記第３バンドパスフィルタおよび前記第４バンドパスフィルタの通過帯域はそれぞれ異なる構成とすることができる。【０００９】
上記構成において、前記第１バンドパスフィルタおよび前記第２バンドパスフィルタの通過帯域は、前記第３バンドパスフィルタおよび前記第４バンドパスフィルタの通過帯域より低い構成とすることができる。【００１０】
上記構成において、前記第１端子は、第１アンプに接続される端子であり、前記第２端子は第２アンプに接続される端子であり、前記第３端子と前記第４端子とは、前記第３端子と前記第４端子とのいずれか一方を選択しアンテナに接続するスイッチが接続される端子である構成とすることができる。【００１１】
上記構成において、前記第１端子および前記第２端子の少なくとも一方は、平衡端子である構成とすることができる。【００１２】
本発明は、上記フィルタ回路を含むことを特徴とするモジュールである。【００１３】
本発明は、上記フィルタ回路と、前記第３端子と前記第４端子とのいずれか一方を選択するスイッチと、を具備することを特徴とするモジュールである。【００１４】
本発明は、上記フィルタ回路と、前記第１端子に接続された第１アンプと、前記第２端子に接続された第２アンプと、を具備することを特徴とするモジュールである。【００１５】
本発明は、上記フィルタ回路と、前記第３端子と前記第４端子とのいずれか一方を選択するスイッチと、前記第１端子に接続された第１アンプと、前記第２端子に接続された第２アンプと、を具備することを特徴とするモジュールである。
【発明の効果】
【００１６】
本発明によれば、フィルタ回路の端子数を削減することができる。
【図面の簡単な説明】
【００１７】
【図１】図１（ａ）は、実施例１に係るフィルタ回路の回路図、図１（ｂ）は、比較例に係るフィルタ回路の回路図である。
【図２】図２は、実施例１が用いられる受信回路の回路図である。
【図３】図３は、実施例２が用いられる受信回路の回路図である。
【図４】図４は、実施例３に係るモジュールとその周辺の回路図である。
【図５】図５は、実施例３の変形例１に係るモジュールとその周辺の回路図である。
【図６】図６は、実施例３の変形例２に係るモジュールとその周辺の回路図である。
【発明を実施するための形態】
【００１８】
以下、図面を参照に、本発明の実施例について説明する。
【実施例１】
【００１９】
図１（ａ）は、実施例１に係るフィルタ回路の回路図、図１（ｂ）は、比較例に係るフィルタ回路の回路図である。図１（ａ）を参照し、実施例１のフィルタ回路１０は、第１ＢＰＦ（バンドパスフィルタ）１２、第２ＢＰＦ１４、第３ＢＰＦ１６および第４ＢＰＦ１８を備えている。各ＢＰＦ１２から１８は、それぞれ入力端子Ｔｉｎと出力端子Ｔｏｕｔとを有している。入力端子Ｔｉｎには、高周波信号が入力する。各ＢＰＦ１２から１８は、高周波信号のうち通過帯域の信号を通過させ、他の周波数の信号を抑圧する。出力端子Ｔｏｕｔからフィルタリングされた高周波信号が出力される。第１端子Ｔ１には、第１ＢＰＦ１２の出力端子Ｔｏｕｔと第２ＢＰＦ１４の出力端子Ｔｏｕｔとが共通に電気的に接続されている。第２端子Ｔ２には、第３ＢＰＦ１６の出力端子Ｔｏｕｔと第４ＢＰＦ１８の出力端子Ｔｏｕｔとが共通に電気的に接続されている。第３端子Ｔ３には、第１ＢＰＦ１２の入力端子Ｔｉｎと第４ＢＰＦ１８の入力端子Ｔｉｎとが共通に電気的に接続されている。第４端子Ｔ４には、第２ＢＰＦ１４の入力端子Ｔｉｎと第３ＢＰＦ１６の入力端子Ｔｉｎとが共通に電気的に接続されている。【００２０】
図１（ｂ）を参照に、比較例のフィルタ回路１０ａにおいては、第１端子Ｔ１には、第１ＢＰＦ１２の出力端子Ｔｏｕｔと第２ＢＰＦ１４の出力端子Ｔｏｕｔとが共通に接続され、第２端子Ｔ２には、第３ＢＰＦ１６の出力端子Ｔｏｕｔと第４ＢＰＦ１８の出力端子Ｔｏｕｔとが共通に接続されている。しかし、第１ＢＰＦ１２から第４ＢＰＦ１８の入力端子Ｔｉｎは、それぞれ端子Ｔ３１、Ｔ３２、Ｔ４１およびＴ４２に接続されている。【００２１】
実施例１によれば、比較例に対し、フィルタ回路の高周波信号が入力または出力する端子の数を削減できる。フィルタ回路１０は、例えば１つのパッケージに各ＢＰＦ１２から１８が実装された形態でもよい。また、１つの実装基板に各ＢＰＦ１２から１８が搭載された形態でもよい。各ＢＰＦ１２から１８は、弾性表面波共振器、ラブ波共振器、弾性境界波共振器または圧電薄膜共振器を用いた弾性波フィルタでもよい。弾性波フィルタはラダー型フィルタまたは／および多重モード型フィルタを含んでもよい。また、各ＢＰＦ１２から１８は、ＬＣフィルタでもよい。【００２２】
実施例１が用いられる回路の例を説明する。図２は、実施例１が用いられる受信回路の回路図である。受信回路１００は、アンテナ２２、スイッチ２０、フィルタ回路１０、アンプ回路３０を備えている。アンプ回路３０はＬＮＡ（ローノイズアンプ）３２および３４を備えている。ＢＰＦ１２から１８の通過帯域は、互いに異なっている。例えば、ＢＰＦ１２から１８の通過帯域は、互いに重なっていない。例えば、第１ＢＰＦ１２は受信帯域が８６９ＭＨｚ〜８９４ＭＨｚのＧＳＭ（登録商標）（Global System for Mobile Communication）８５０の受信フィルタである。第２ＢＰＦ１４は受信帯域が９２５ＭＨｚ〜９６０ＭＨｚのＧＳＭ９００の受信フィルタである。第３ＢＰＦ１６は、受信帯域が１８０５ＭＨｚ〜１８８０ＭＨｚのＧＳＭ１８００の受信フィルタである。第４ＢＰＦ１８は、受信帯域が１９３０ＭＨｚ〜１９９０ＭＨｚのＧＳＭ１９００の受信フィルタである。【００２３】
第１ＢＰＦ１２は、第４ＢＰＦ１８の通過帯域の信号を反射し、第１ＢＰＦ１２の通過帯域の信号を通過させ、第４ＢＰＦ１８は、第１ＢＰＦ１２の通過帯域の信号を反射し、第４ＢＰＦ１８の通過帯域の信号を通過させるように、第１ＢＰＦ１２と第４ＢＰＦ１８とを第３端子Ｔ３からみたインピーダンスが設定されている。例えば、以上のようにインピーダンスが設定されるように、第３端子Ｔ３と第１ＢＰＦ１２および第４ＢＰＦ１８との間に整合回路が設けられていてもよい。【００２４】
また、第２ＢＰＦ１４は、第３ＢＰＦ１６の通過帯域の信号を反射し、第２ＢＰＦ１４の通過帯域の信号を通過させ、第３ＢＰＦ１６は、第２ＢＰＦ１４の通過帯域の信号を反射し、第３ＢＰＦ１６の通過帯域の信号を通過させるように、第２ＢＰＦ１４と第３ＢＰＦ１６とを第４端子Ｔ３４からみたインピーダンスが設定されている。例えば、以上のようにインピーダンスが設定されるように、第４端子Ｔ４と第２ＢＰＦ１４および第３ＢＰＦ１６との間に整合回路が設けられていてもよい。【００２５】
第１ＢＰＦ１２は、第２ＢＰＦ１４との通過帯域の信号を反射し、第２ＢＰＦ１４は、第１ＢＰＦ１２の通過帯域の信号を反射するように、第１ＢＰＦ１２と第２ＢＰＦ１４との第１端子Ｔ１からみたインピーダンスが設定されている。例えば、以上のようにインピーダンスが設定されるように、第１端子Ｔ１と第１ＢＰＦ１２および第２ＢＰＦ１４との間に整合回路が設けられていてもよい。【００２６】
第３ＢＰＦ１６は、第４ＢＰＦ１８との通過帯域の信号を反射し、第４ＢＰＦ１８は、第３ＢＰＦ１６の通過帯域の信号を反射するように、第３ＢＰＦ１６と第４ＢＰＦ１８との第２端子Ｔ２からみたインピーダンスが設定されている。例えば、以上のようにインピーダンスが設定されるように、第２端子Ｔ２と第３ＢＰＦ１６および第４ＢＰＦ１８との間に整合回路が設けられていてもよい。【００２７】
スイッチ２０は、第３端子Ｔ３と第４端子Ｔ４のいずれか一方を選択しアンテナ２２に電気的に接続する。これにより、アンテナ２２が受信した信号は、第３端子Ｔ３および第４端子Ｔ４のいずれか一方に入力する。【００２８】
第３端子Ｔ３に入力された信号のうち、第１ＢＰＦ１２の通過帯域の信号は第１端子Ｔ１から出力する。第３端子Ｔ３に入力された信号のうち、第４ＢＰＦ１８の通過帯域の信号は第２端子Ｔ２から出力する。同様に、第４端子Ｔ４に入力された信号のうち、第２ＢＰＦ１４の通過帯域の信号は第１端子Ｔ１から出力する。第４端子Ｔ４に入力された信号のうち、第３ＢＰＦ１６の通過帯域の信号は第２端子Ｔ２から出力する。【００２９】
第１端子Ｔ１から出力された信号は、ＬＮＡ３２により増幅され端子４２から出力される。第２端子Ｔ２から出力された信号は、ＬＮＡ３４により増幅され端子４４から出力される。性能のよい広帯域のアンプは実現するのが難しい。例えば、第１ＢＰＦ１２はＧＳＭ８５０の受信信号を通過させ、第２ＢＰＦ１４はＧＳＭ９００の受信信号を通過させる。ＬＮＡ３２は、ＧＳＭ８５０の受信信号とＧＳＭ９００の受信信号との周波数の近い信号を増幅するため、第１ＢＰＦ１２と第２ＢＰＦ１４に対応するＬＮＡ３２は１個でよい。これにより、第１ＢＰＦ１２と第２ＢＰＦ１４の出力端子Ｔｏｕｔは共通化できる。同様に、ＬＮＡ３４は、ＧＳＭ１８００の受信信号とＧＳＭ１９００の受信信号との周波数の近い信号を増幅するため、第３ＢＰＦ１６と第４ＢＰＦ１８に対応するＬＮＡ３４は１個でよい。これにより、第３ＢＰＦ１６と第４ＢＰＦ１８の出力端子Ｔｏｕｔは共通化できる。【００３０】
実施例１によれば、第１ＢＰＦ１２および第２ＢＰＦ１４の通過帯域は、第３ＢＰＦ１６および第４ＢＰＦ１８の通過帯域より低い。これにより、通過帯域の近いＢＰＦを通過した信号を同じＬＮＡを用い増幅できる。よって、広帯域アンプを用いずＬＮＡを共通化できる。一方、第３端子Ｔ３には、比較的周波数差の大きい通過帯域を有する第１ＢＰＦ１２と第４ＢＰＦ１８の入力端子Ｔｉｎが接続されている。第４端子Ｔ４には、比較的周波数差の大きい通過帯域を有する第２ＢＰＦ１４と第３ＢＰＦ１６の入力端子Ｔｉｎが接続されている。これにより、スイッチ２０が第３端子Ｔ３にアンテナ２２からの信号を出力すると、端子４２からＧＳＭ８５０の受信信号が増幅され出力される。端子４４からＧＳＭ１９００の受信信号が増幅され出力される。一方、スイッチ２０が第４端子Ｔ４にアンテナ２２からの信号を出力すると、端子４２からＧＳＭ９００の受信信号が増幅され出力される。端子４４からＧＳＭ１８００の受信信号が増幅され出力される。このように、実施例１に係るフィルタ回路１０は、比較例に比べ高周波信号が入力または出力する端子数を低減できる。【００３１】
さらに、ＧＳＭ８５０とＧＳＭ１９００とは、主に米国で用いられる通信方式である。ＧＳＭ９００とＧＳＭ１８００とは、主に欧州で用いられる通信方式である。第３端子Ｔ３および第４端子Ｔ４には、それぞれ同じ地域において用いられる通信方式用のＢＰＦが接続されている。例えば米国で用いる場合は、スイッチ２０が第３端子Ｔ３を選択する。これにより、端子４２および端子４４には、米国で用いられる通信方式の受信信号が同時に出力される。例えば欧州で用いる場合は、スイッチ２０が第４端子Ｔ４を選択する。これにより、端子４２および端子４４には、欧州で用いられる通信方式の受信信号が同時に出力される。
【実施例２】
【００３２】
実施例２は、各ＢＰＦの出力端子が平衡出力の例である。図３は、実施例２が用いられる受信回路の回路図である。図２に比べ、各ＢＰＦ１２から１８の出力端子Ｔｏｕｔが平衡出力である。ＬＮＡ３２および３４には、平衡信号が入力する。このため、第１端子Ｔ１１およびＴ１２並びに第２端子Ｔ２１およびＴ２２は、それぞれ２つ設けられている。その他の構成は、図２と同じであり説明を省略する。実施例２のように、第１端子Ｔ１１およびＴ１２並びに第２端子Ｔ２１およびＴ２２は、それぞれ平衡端子でもよい。すなわち、第１端子および第２端子の少なくとも一方は平衡端子でもよい。
【実施例３】
【００３３】
実施例３は実施例１および実施例２に係るフィルタ回路を含むモジュールの例である。図４は、実施例３に係るモジュールとその周辺の回路図である。図４に示すように、モジュール５０ａはスイッチ２０と実施例１または２のフィルタ回路１０を備えている。モジュール５０ａにおいて、例えば配線基板等にスイッチ２０とフィルタ回路１０とが搭載されている。モジュール５０ａは、スイッチ２０に接続される端子Ｔ５０、第１端子Ｔ１に接続される端子Ｔ５１および第２端子Ｔ２に接続される端子Ｔ５２を備えている。その他の構成は、実施例１の図２と同じであり説明を省略する。【００３４】
図５は、実施例３の変形例１に係るモジュールとその周辺の回路図である。図５に示すように、モジュール５０ｂはアンプ回路３０と実施例１または実施例２のフィルタ回路１０を備えている。モジュール５０ｂにおいて、例えば配線基板等にアンプ回路３０とフィルタ回路１０とが搭載されている。モジュール５０ｂは、第３端子Ｔ３に電気的に接続される端子Ｔ５３、第４端子Ｔ４に電気的に接続される端子Ｔ５４、ＬＮＡ３２の出力に電気的に接続される端子Ｔ５５およびＬＮＡ３４の出力に電気的に接続される端子Ｔ５６を備えている。その他の構成は、実施例１の図２と同じであり説明を省略する。【００３５】
図６は、実施例３の変形例２に係るモジュールとその周辺の回路図である。図６に示すように、モジュール５０ｃはスイッチ２０とアンプ回路３０と実施例１または２のフィルタ回路１０を備えている。モジュール５０ｃにおいて、例えば配線基板等にスイッチ２０とアンプ回路３０とフィルタ回路１０とが搭載されている。モジュール５０ｃは、スイッチ２０に電気的に接続された端子Ｔ５０、ＬＮＡ３２の出力に電気的に接続された端子Ｔ５５およびＬＮＡ３４の出力に電気的に接続された端子Ｔ５６を備えている。その他の構成は、実施例１の図２と同じであり説明を省略する。【００３６】
実施例３およびその変形例のように、モジュールは、実施例１または実施例２のフィルタ回路１０を含んでもよい。【００３７】
実施例１から実施例３において、第１端子Ｔ１および第２端子Ｔ２が各ＢＰＦ１２から１８の出力端子Ｔｏｕｔに接続され、第３端子Ｔ３および第４端子Ｔ４が各ＢＰＦ１２から１８の入力端子Ｔｉｎに接続される例を説明した。第１端子Ｔ１および第２端子Ｔ２が各ＢＰＦ１２から１８の入力端子Ｔｉｎに接続され、第３端子Ｔ３および第４端子Ｔ４が各ＢＰＦ１２から１８の出力端子Ｔｏｕｔに接続されてもよい。この場合、パワーアンプ（ＰＡ）が増幅した送信信号が第１端子Ｔ１に入力する。また、別のパワーアンプが増幅した送信信号が第２端子Ｔ２に入力する。【００３８】
このように、各ＢＰＦ１２から１８の入力端子Ｔｉｎおよび出力端子Ｔｏｕｔのいずれか一方が第１端子Ｔ１またはＴ２に接続され、入力端子Ｔｉｎおよび出力端子Ｔｏｕｔの他方が第３端子Ｔ３またはＴ４に接続されていればよい。第１アンプ（ＬＮＡまたはＰＡ）が第１端子Ｔ１に接続され、第２アンプ（ＬＮＡまたはＰＡ）が第２端子Ｔ２に接続されていればよい。【００３９】
以上、本発明の実施例について詳述したが、本発明はかかる特定の実施例に限定されるものではなく、特許請求の範囲に記載された本発明の要旨の範囲内において、種々の変形・変更が可能である。
【符号の説明】
【００４０】
１０      フィルタ回路
１２      第１ＢＰＦ
１４      第２ＢＰＦ
１６      第３ＢＰＦ
１８      第４ＢＰＦ
２０      スイッチ
２２      アンテナ
３０      アンプ回路
３２      ＬＮＡ
３４      ＬＮＡ
Ｔ１      第１端子
Ｔ２      第２端子
Ｔ３      第３端子
Ｔ４      第４端子
【図１】
2013118240.tif 000003
【図２】
2013118240.tif 000004
【図３】
2013118240.tif 000005
【図４】
2013118240.tif 000006
【図５】
2013118240.tif 000007
【図６】
2013118240.tif 000008
【国際調査報告】
2013118240.tif 000009
2013118240.tif 000010